(57)【特許請求の範囲】
【請求項１】
第１の広告と第１の認証コードとを掲示する第１の広告掲示手段と、前記第１の広告と異なる第２の広告を掲示するとともに、前記第１の認証コードと異なる第２の認証コードを掲示する第２の広告掲示手段（１０〜１５）と、
前記第１の広告を電子データとして無線端末（４０）に無線送信するための第１の無線エリアを生成する第１の無線機（２０）と、前記第２の広告を電子データとして前記無線端末に無線送信するための第２の無線エリアを前記第１の無線エリアとオバーラップして生成する第２の無線機（３０）とを有し、
前記第１の無線機は、
前記第１の認証コードを記憶する記憶手段（２３）と、
前記無線端末から認証コードを無線受信する受信手段（２００）と、
前記受信手段によって受信された認証コードが前記記憶手段に記憶された第１の認証コードと一致するか否かを判定する手段（２１０）と、
前記一致の判定に応じて、前記第１の広告を電子データとして前記無線端末に無線送信する広告送信手段（２２０〜２４０）と、を有し、
前記第２の無線機は、
前記第２の認証コードを記憶する記憶手段（２３）と、
前記無線端末から認証コードを無線受信する受信手段（２００）と、
前記受信手段によって受信された認証コードが前記記憶手段に記憶された第２の認証コードと一致するか否かを判定する手段（２１０）と、
前記一致の判定に応じて、前記第２の広告を電子データとして前記無線端末に無線送信する広告送信手段（２２０〜２４０）と、を有することを特徴とする広告システム。
【請求項２】
互いに異なる第１及び第２の広告を掲示する第１及び第２の広告掲示手段（５０〜５８）と、
前記第１の広告を電子データとして無線端末（４０）に無線送信するための第１の無線エリア（５０Ａ〜５８Ａ）を生成する第１の無線機（５０〜５８）と、
前記第２の広告を電子データとして前記無線端末に無線送信するための第２の無線エリア（５０Ａ〜５８Ａ）を前記第１の無線エリアとオバーラップして生成する第２の無線機（５０〜５８）とを有し、
前記第１及び第２の広告掲示手段のそれぞれには、前記第１及び第２の広告を個々に識別するために、互いに異なる第１及び第２の識別コードが掲示されており、
前記第１の無線機は、
前記第１の識別コードを無線受信するコード受信手段（２８０）と、
前記コード受信手段により前記第１の識別コードが無線受信されたとき、前記第１の広告を無線送信する広告送信手段（２９０）と、を有し、
前記第２の無線機は、
前記第２の識別コードを無線受信するコード受信手段（２８０）と、
前記コード受信手段により前記第２の識別コードが無線受信されたとき、前記第２の広告を無線送信する広告送信手段（２９０）と、を有することを特徴とする広告システム。
【発明の詳細な説明】
【０００１】
【発明の属する技術分野】
本発明は、広告システムに関する。
【０００２】
【従来の技術】
電車の車室内、鉄道駅のプラットホームなどで、様々な広告が掲示されている。しかし、人が、このように掲示された広告の内容をメモしたいと思っても、ペンを持ち合わせていなかったり、メモする紙すら持ち合わせていなかったりする場合がある。
【０００３】
【発明が解決しようとする課題】
そこで、本発明者は、このようにメモする紙やペンを持ち合わせていない場合に対処するため、広告に対応して、例えば、ブルートュース等の近距離無線機を設け、人が携帯端末を携帯して広告に近づくと、近距離無線機が自動的にその広告を電子データとして携帯端末に送信できるようにする広告システムについて検討した。
【０００４】
しかし、本発明者の検討によれば、鉄道駅のプラットホームの広告掲示板などで、多種の広告を互いに間隔を開けずに掲示すると、その広告掲示板に人が近づいただけで、多量の広告が携帯端末に自動的に送信され、携帯端末には、端末ユーザにとって不必要な広告をも受信されてしまうと考えた。
【０００５】
本発明は、上記点に鑑みて成されたもので、端末ユーザにとって必要な広告のみを送ることができる広告システムを提供することを目的とする。
【００１６】
【課題を解決するための手段】
本発明は、上記目的を達成するために、請求項１に記載の発明では、第１の広告と第１の認証コードとを掲示する第１の広告掲示手段と、第１の広告と異なる第２の広告を掲示するとともに、第１の認証コードと異なる第２の認証コードを掲示する第２の広告掲示手段（１０〜１５）と、第１の広告を電子データとして無線端末（４０）に無線送信するための第１の無線エリアを生成する第１の無線機（２０）と、第２の広告を電子データとして無線端末に無線送信するための第２の無線エリアを第１の無線エリアとオバーラップして生成する第２の無線機（３０）とを有し、第１の無線機は、第１の認証コードを記憶する記憶手段（２３）と、無線端末から認証コードを無線受信する受信手段（２００）と、受信手段によって受信された認証コードが記憶手段に記憶された第１の認証コードと一致するか否かを判定する手段（２１０）と、一致の判定に応じて、第１の広告を電子データとして無線端末に無線送信する広告送信手段（２２０〜２４０）と、を有し、第２の無線機は、第２の認証コードを記憶する記憶手段（２３）と、無線端末から認証コードを無線受信する受信手段（２００）と、受信手段によって受信された認証コードが記憶手段に記憶された第２の認証コードと一致するか否かを判定する手段（２１０）と、一致の判定に応じて、第２の広告を電子データとして無線端末に無線送信する広告送信手段（２２０〜２４０）と、を有することを特徴とする。
【００１７】
この場合、第１及び第２の無線機において、それぞれの無線エリアがオバーラップしていても、互いに異なる認証コードが設定されているので、混信することなく、無線機とアクセスできる。これにより、無線端末から認証コードを第１及び第２の無線機の一方に送信させて無線端末により当該一方の無線機とアクセスさせることにより、端末ユーザにとって必要な広告だけを当該一方の無線機から送信させることができる。
【００１８】
請求項２に記載の発明では、互いに異なる第１及び第２の広告を掲示する第１及び第２の広告掲示手段（５０〜５８）と、第１の広告を電子データとして無線端末（４０）に無線送信するための第１の無線エリア（５０Ａ〜５８Ａ）を生成する第１の無線機（５０〜５８）と、第２の広告を電子データとして無線端末に無線送信するための第２の無線エリア（５０Ａ〜５８Ａ）を第１の無線エリアとオバーラップして生成する第２の無線機（５０〜５８）とを有し、第１及び第２の広告掲示手段のそれぞれには、第１及び第２の広告を個々に識別するために、互いに異なる第１及び第２の識別コードが掲示されており、第１の無線機は、第１の識別コードを無線受信するコード受信手段（２８０）と、コード受信手段により第１の識別コードが無線受信されたとき、第１の広告を無線送信する広告送信手段（２９０）と、を有し、第２の無線機は、第２の識別コードを無線受信するコード受信手段（２８０）と、コード受信手段により第２の識別コードが無線受信されたとき、第２の広告を無線送信する広告送信手段（２９０）と、を有することを特徴とする。
【００１９】
これにより、無線機は、識別コードが受信されたとき広告を送信するので、端末ユーザにとって広告が必要なときだけ、識別コードを無線端末から送信させることにより、端末ユーザにとって必要な広告を無線機から送信させることができる。
【００２０】
ここで、第１及び第２の無線機において、それぞれの無線エリアがオバーラップしていても、第１及び第２の広告に対して互いに異なる識別コードが設定されているので、広告の送信の際に混信することはない。
【００２６】
因みに、上記各手段の括弧内の符号は、後述する実施形態に記載の具体的手段との対応関係を示す一例である。
【００２７】
【発明の実施の形態】
（第１実施形態）
図１に、本発明に係る広告システムの第１実施形態を示す。図１は、広告システムの構成を示すブロック図である。広告システムは、図１に示すように、列車の車両１、２の室内で宣伝広告を行うために、広告ポスター１０〜１５、および近距離無線機（Ｂｌｕｅｔｏｏｈ）２０、３０を有している。
【００２８】
広告ポスター１０〜１５は、車両毎に設置されており、広告ポスター１０〜１５は、それぞれ異なる広告Ａ〜Ｆを車室内で掲示するために、車室内の天井側から吊り下げられている。
【００２９】
ここで、広告ポスター１０〜１５には、広告番号１〜６がそれぞれ掲示されている。さらに、広告ポスター１０〜１２には、それぞれ、同一の認証コードＸが掲示され、広告ポスター１３〜１５には、それぞれ、同一の認証コードＹが掲示されている。なお、広告番号１〜６、および認証コードＸ（認証コードＹ）の役割については後述する。
【００３０】
近距離無線機２０は、車両毎に設置されており、近距離無線機２０は、車室内において、広告Ａ〜Ｃを電子データで携帯電話４０に送信するために、無線エリア２０Ａを生成する。無線エリア２０Ａは、広告ポスター１０〜１２の位置を含むように配置されている。
【００３１】
近距離無線機３０は、車両毎に設置されており、近距離無線機３０は、車室内において、広告Ｄ〜Ｆを電子データで携帯電話４０に送信するために、無線エリア３０Ａを生成する。無線エリア３０Ａは、広告ポスター１３〜１５の位置を含むように配置されている。
【００３２】
なお、同一車両内において無線エリア２０Ａ、３０Ａは、一部重複して配置されている。また、無線エリア２０Ａ、３０Ａは、携帯電話網の基地局により生成される無線エリアに比べて、小さく、半径が、例えば、数メートルに設定されている。
【００３３】
次に、近距離無線機２０、３０および携帯電話４０の電気回路構成について図２に基づき説明する。なお、近距離無線機２０、３０は、送信する広告以外の役割が実質的に同様であるため、近距離無線機３０の説明は省略する。
【００３４】
近距離無線機２０は、アンテナ２１、小電力無線部２２、メモリ２３、および制御部２４から構成されている。小電力無線部２２は、広告Ａ〜Ｃのうちいずれかを電子データでアンテナ２１から送信させる。また、小電力無線部２２の送信には、ブルートュース技術などの近距離無線技術が用いられている。
【００３５】
メモリ２３は、フラッシュメモリ、ＳＤＲＡＭなどから構成されて、制御部２４による処理に伴うデータを記憶するとともに、コンピュータプラグラムを記憶する。また、メモリ２３は、広告Ａ〜Ｃとして、テキスト情報、静止画像、動画を表示するための電子データと、広告毎の広告番号１〜３と、認証番号Ｘとを記憶する。
【００３６】
ここで、広告番号１〜３（識別コード）は、広告Ａ〜Ｃの個々を識別するために、広告Ａ〜Ｃと１対１で対応して設定されている。さらに、認証コードＸは、携帯電話４０が広告Ａ〜Ｃを得るために近距離無線機２０にアクセスするためのコードである。
【００３７】
なお、近距離無線機３０のメモリ２３には、広告Ａ〜Ｃ、広告番号１〜３、および認証番号Ｘに代えて、広告Ｄ〜Ｆ、広告番号４〜６、および認証番号Ｙが記憶されている。
【００３８】
また、制御部２４は、マイクロコンピュータなどから構成されて、広告Ａ〜Ｃを送信させるための広告送信処理を行う。
【００３９】
また、携帯電話４０は、アンテナ４１、小電力無線部４２、アンテナ４３、無線部４４、表示部４５、操作キー４６、制御部４７、およびメモリ４８から構成されている。
【００４０】
小電力無線部４２は、近距離無線機２０から送信される広告Ａ〜Ｃをアンテナ４１を介して受信する。なお、小電力無線部４２の受信には、ブルートュース技術などの近距離無線技術が用いられている。
【００４１】
無線部４４は、携帯電話網の基地局からの下り通信信号をアンテナ４３を介して受信するとともに、上り通信信号をアンテナ４３から基地局に送信する。なお、無線部４４及び基地局間の無線には、ＣＤＭＡ方式、ＰＤＣ方式などの無線技術が用いられている。すなわち、無線部４４は、小電力無線部４２に用いられる通信規約とことなる通信規約で無線通信を行うことになる。
【００４２】
表示部４５は、液晶ディスプレイ等から構成されて、広告など各種の表示を行う。操作キー４６は、各キーを有して構成されて、各キーには、電話、広告取得などの各機能が割り付けられている。
【００４３】
制御部４７は、マイクロコンピュータから構成されて、携帯電話網の基地局を介して通話を行うための通話処理以外に、広告を取得するための広告取得処理を行う。広告取得処理のコンピュータプログラムとしては、例えば、ＪＡＶＡ言語でプログラミングされたものを用いることができる。また、メモリ４８は、フラッシュメモリ、ＳＤＲＡＭ等から構成されて、制御部４７の各種の処理に伴うデータを記憶するとともに、コンピュータプログラムを記憶する。
【００４４】
次に、本実施形態の作動として、携帯電話４０が近距離無線機２０から広告Ａ〜Ｃを取得する例について、図３を用いて説明する。図３は、携帯電話４０の制御部４７による広告取得処理と、近距離無線機２０の制御部２４による広告送信処理とを示すフローチャートである。
【００４５】
端末ユーザが、列車の車両１の室内で、広告ポスター１０〜１３に近寄ると、近距離無線機２０の無線エリア２０Ａ内に入ることになる。さらに、端末ユーザがキー操作部４６に対して広告取得処理（専用アプリケーション）の開始操作を行うと、携帯電話４０では、制御部４７が、広告取得処理を開始する。これに伴い、制御部４７が、端末ユーザに対して認証コードＸの入力を促すための画像を表示部４５に表示させる。
【００４６】
ここで、端末ユーザが、広告ポスター１０〜１３に掲示された認証コードＸをキー操作部４６の操作により入力した場合には（ステップ１００）、制御部４７が、この入力された認証コードＸを小電力無線部４２により送信させる（ステップ１１０）。これにより、小電力無線部４２が認証コードＸをアンテナ４１から送信させることになる。
【００４７】
これに伴い、近距離無線機２０では、制御部２４が、携帯電話４０から送信された認証コードＸをアンテナ２１および小電力無線部２２を介して受信すると（ステップ２００）、この受信した認証コードＸ（以下、受信認証コードＸという）に基づき、携帯電話４０が広告Ａ〜Ｃを得るために近距離無線機２０自身にアクセスすることを許可するか否かを判定する（ステップ２１０）。
【００４８】
具体的には、受信認証コードＸがメモリ２３に記憶された認証コードＸ（以下、記憶認証コードＸという）と一致するか否かを判定し、受信認証コードＸが記憶認証コードＸと一致した場合には、携帯電話４０が広告Ａ〜Ｃを得るために近距離無線機２０自身にアクセスすることを許可する。
【００４９】
これに伴い、制御部２４が、広告Ａ〜Ｃのうち希望の広告を携帯電話４０の端末ユーザにより指定させるために、広告指定信号を小電力無線部２２に送信させる（ステップ２２０）。これにより、小電力無線部２２が、広告指定信号をアンテナ２１から送信させることになる。なお、広告指定信号には、広告Ａ〜Ｃを概略的に説明するためのテキストデータが含まれている。
【００５０】
次に、携帯電話４０では、制御部４７が、近距離無線機２０から送信された広告指定信号をアンテナ４１および小電力無線部４２を通して受信すると（ステップ１２０）、この受信された広告指定信号に基づき、広告Ａ〜Ｃのうち希望の広告を携帯電話４０の端末ユーザにより指定させるための画像を表示部４５に表示させる。
【００５１】
ここで、端末ユーザが、広告Ａ〜Ｃのうち希望の広告の広告番号を操作キー４６により入力した場合には、制御部４７が、この入力した広告番号を小電力無線部４２により送信させる（ステップ１４０）。これにより、小電力無線部４２が広告番号をアンテナ４１から送信させることになる。
【００５２】
次に、近距離無線機２０では、制御部２４が、携帯電話４０から送信された広告番号をアンテナ２１および小電力無線部２２を介して受信すると（ステップ２３０）、この受信した広告番号に該当する広告をメモリ２３から読み取りこの広告を電子データとして小電力無線部２２により送信させる（ステップ２４０）。これにより、小電力無線部２２がこの広告を電子データとしてアンテナ２１から送信させることになる。
【００５３】
次に、携帯電話４０では、制御部４７が、近距離無線機２０から送信された広告をアンテナ４１および小電力無線部４２を通して受信すると（ステップ１５０）、この受信された広告をこのメモリ４８に登録するとともに、この広告に基づき、広告を表示部４５に表示させる（ステップ１６０）。これにより、端末ユーザにとって希望する広告を表示部４５に表示させることになる。
【００５４】
なお、ステップ２１０において、受信認証コードＸが記憶認証コードＸと不一致であるとき、携帯電話４０が広告Ａ〜Ｃを得るために近距離無線機２０自身にアクセスすることを禁止する。
【００５５】
以上説明したように本実施形態によれば、近距離無線機２０において、携帯電話４０から送信された認証コードＸがメモリ２３に記憶された認証コードＸと一致する場合には、携帯電話４０が広告Ａ〜Ｃを得るために近距離無線機２０自身にアクセスすることを許可する。このことにより、端末ユーザにとって広告Ａ〜Ｃのいずれかを必要であるときだけ、携帯電話４０から認証コードを送信させることにより、近距離無線機２０から広告Ａ〜Ｃのうち必要な広告を送信させることができる。
【００５６】
なお、上記実施形態では、近距離無線機２０、３０に対応する認証コードを互いに異なるように設定した例について説明したが、これに限らず、近距離無線機２０の無線エリア２０Ａと、近距離無線機３０の無線エリア３０Ａとがオフセットするように配置されるならば、互いの認証コードを同一コードに設定してもよい。
【００５７】
具体的には、広告システムを以下のように構成することができる。すなわち、広告システムは、広告Ａ〜Ｃを掲示する広告ポスター１０〜１２と、広告Ａ〜Ｃと異なる広告Ｄ〜Ｆを掲示する広告ポスター１３〜１５と、広告Ａ〜Ｃを携帯電話４０に無線送信するための無線エリア２０Ａを生成する近距離無線機２０と、広告Ｄ〜Ｆを携帯電話４０に無線送信するための無線エリア３０Ｂを無線エリア２０Ａとオフセットして生成する近距離無線機３０とを有している。
【００５８】
これに加えて、広告ポスター１０〜１２には、携帯電話４０が広告Ａ〜Ｃを得るために近距離無線機２０にアクセスするための認証コードが掲示され、広告ポスター１３〜１５には、携帯電話４０が広告Ｄ〜Ｆを得るために近距離無線機３０にアクセスするための認証コードが掲示されており、さらに、広告ポスター１０〜１５にそれぞれ掲載された認証コードが同一コードに設定されている。
【００５９】
ここで、近距離無線機２０、３０の制御部２４は、認証コードを携帯電話４０から受信するための受信機能と、この受信機能によって認証コードが受信されたとき、携帯電話４０が広告Ａ〜Ｆのうち対応する広告を得るためのアクセスを許可する許可機能とをそれぞれ備えている。
【００６０】
以上のように構成することにより、広告Ａ〜Ｆに対して同一の同一広告番号を設定できるので、異なる広告Ａ〜Ｆに対して異なる広告番号を設定する場合に比べて、小さな広告番号を設定できる。従って、広告ポスタの数が多くても、広告番号として大きな数字を設定する必要がなく、広告番号を入力するための操作を簡素化することができる。
【００６１】
さらに、本発明の実施にあたり、携帯電話４０の制御部４７が、近距離無線機２０から取得した広告に、電話番号、メールアドレス、ＵＲＬ（ＵＮＩＦＯＲＭＲＥＳＯＵＲＣＥ  Ｌｏｃａｔｏｒ）、名前などの相手先データが含まれている場合には、以下に説明するメモリダイヤル処理を用いて相手先データを登録させるようにしてもよい。この場合、制御部４７は、近距離無線機２０から送信される広告を受信した後（ステップ１００〜１６０）、図４に示すメモリダイヤル処理を開始する。
【００６２】
先ず、端末ユーザに対して、近距離無線機２０からの取得広告をメモリ４８に登録するか否かの選択を促すための画像を表示部４５に表示させる。ここで、端末ユーザが操作キー４６に対して広告登録を選択するための操作を行うと（ステップ３００：ＹＥＳ）、近距離無線機２０からの取得広告とメモリ４８に記憶されたデータとを比較して、取得広告がメモリ４８に既に登録済みであるか否かを判定する（ステップ３１０、３２０）。この取得広告がメモリ４８に未登録であることを判定した場合には、メモリ４８に取得広告を登録する（ステップ３３０）。また、ステップ３２０において、取得広告がメモリ４８に登録済みであることを判定した場合には、取得広告とメモリ４８に登録された登録済み広告とを比較して、双方の差分を調べる（ステップ３４０）。この調べた差分を、メモリ４８に登録する（ステップ３５０）。
【００６３】
（第２実施形態）
上記第１実施形態では、列車の車両１、２の室内で宣伝広告を行うようにした例について説明したが、本第２実施形態では、列車が停車する鉄道駅のプラットホームで宣伝広告を行うようにする例について説明する。この場合の広告システムの構成を図５に示す。
【００６４】
本第２実施形態の広告システムは、図５に示すように、広告ポスター１６〜２４、近距離無線機（Ｂｌｕｅｔｏｏｈ）５０〜５８、サーバ７０および携帯電話４０を有して構成されている。なお、図５に示す携帯電話４０は、図１に示す携帯電話４０と同一である。
【００６５】
広告ポスター１６〜２４は、広告Ｇ〜Ｏと１対１に対応付けられており、広告ポスター１６〜２４は、広告Ｇ〜Ｏのうち対応する広告をプラットホームで掲示するために掲示板に貼られている。
【００６６】
ここで、広告Ｇ〜Ｉは、広告番号７〜９と１対１で対応付けられて、広告番号７〜９が広告ポスター１６〜１８にそれぞれ掲示されている。広告Ｊ〜Ｌは、広告番号７〜９と１対１で対応付けられて、広告番号７〜９が広告ポスター１９〜２１にそれぞれ掲示されている。また、広告Ｍ〜Ｏは、広告番号７〜９と１対１で対応付けられて、広告番号７〜９が広告ポスター２２〜２４にそれぞれ掲示されている。
【００６７】
近距離無線機５０〜５８は、広告ポスター１６〜２４と１対１で対応して設定されている。そして、近距離無線機５０〜５８は、プラットホームにおいて、広告Ｇ〜Ｏのうち対応する広告を電子データで携帯電話４０に送信するために、無線エリア５０Ａ〜５８Ａ（図５には無線エリア５０Ａ、５３Ａ、５６Ａだけを図示する）を生成する。無線エリア５０Ａ〜５８Ａは、それぞれ、対応する広告ポスターの位置を含むように配置されている。
【００６８】
ここで、近距離無線機５０〜５８において同一広告番号の広告を送信する近距離無線機５０、５３、５６は、それぞれの無線エリア５０Ａ、５３Ａ、５６Ａをオフセットして生成する。同様に、近距離無線機５１、５４、５７も、各無線エリアをオフセットして生成し、近距離無線機５２、５３、５８も、各無線エリアをオフセットして生成している。
【００６９】
サーバ７０は、近距離無線機５０〜５８とともに、クライアントサーバシステムを構成するもので、テキスト情報、静止画像、動画などの、広告Ｇ〜Ｏを表示するための電子データを記憶する。
【００７０】
次に、近距離無線機５０〜５８の電気回路構成について、図６に基づき説明する。なお、近距離無線機５０〜５８は、送信する広告以外の役割が実質的に同様であるため、近距離無線機５０だけ説明して、近距離無線機５１〜５８の説明は省略する。
【００７１】
近距離無線機５０は、アンテナ２１、小電力無線部２２、メモリ２３、通信部２５、および、制御部２４から構成されている。小電力無線部２２は、広告Ｇを電子データとしてアンテナ２１から送信させる。
【００７２】
メモリ２３は、フラッシュメモリ、ＳＤＲＡＭなどから構成されて、制御部２４による処理に伴うデータを記憶する。さらに、メモリ２３は、コンピュータプラグラムとともに、広告Ｇに対応する広告番号７、および、認証コードを記憶する。この認証コードは、携帯電話４０が広告Ｇを得るために近距離無線機５０にアクセスするためのコードである。制御部２４は、マイクロコンピュータなどから構成されて、広告Ｇを送信させるための広告送信処理を行う。通信部２５は、サーバ７０との間で通信して広告Ｇをサーバ７０から取得する。
【００７３】
次に、本実施形態の作動として、携帯電話４０が近距離無線機５０から広告を取得する例について、図７を用いて説明する。図７（ａ）は、携帯電話４０の制御部４７による広告取得処理を示すフローチャート、図７（ｂ）は、近距離無線機５０の制御部２４による広告送信処理とを示すフローチャートである。
【００７４】
先ず、端末ユーザが、鉄道駅のプラットホームで、広告ポスター１６に近寄ると、近距離無線機５０の無線エリア５０Ａ内に入ることになる。さらに、端末ユーザがキー操作部４６に対して広告取得処理（専用アプリケーション）の開始操作を行うと、携帯電話４０では、制御部４７が、広告取得処理を開始する。これに伴い、制御部４７が、メモリ４８に記憶された認証コードを小電力無線部４２により送信させる（ステップ１１０Ａ）。これにより、小電力無線部４２が認証コードをアンテナ４１から送信させることになる。
【００７５】
ここで、近距離無線機５０では、制御部２４が、携帯電話４０から送信された認証コードをアンテナ２１および小電力無線部２２を介して受信すると（ステップ２５０）、携帯電話４０が広告Ｇを得るために近距離無線機５０自身にアクセスすることを許可する（ステップ２６０）。これに伴い、このアクセスを許可した旨を携帯電話４０に伝えるために、小電力無線部２２により許可返信信号を送信させる（ステップ２７０）。これにより、小電力無線部２２が許可返信信号をアンテナ２１から送信させることになる。
【００７６】
次に、携帯電話４０では、制御部４７が、近距離無線機２０から送信された許可返信信号をアンテナ４１および小電力無線部４２を通して受信すると（ステップ１１１）、広告Ｇを得るためのアクセスが許可された旨を端末ユーザに伝えるための画像を表示部４５に表示させる。これに加えて、広告番号の入力を端末ユーザに促すための画像を表示部４５に表示させる。
【００７７】
ここで、端末ユーザが、広告ポスター５０に掲示された広告番号をキー操作部４６の操作によって入力した場合には、制御部４７が、この入力された広告番号を小電力無線部４２により送信させる（ステップ１７０、１８０）。このことにより、小電力無線部４２が当該広告番号をアンテナ４１から送信させることになる。
【００７８】
次に、近距離無線機２０では、制御部２４が、携帯電話４０から送信された広告番号をアンテナ２１および小電力無線部２２を介して受信すると（ステップ２８０）、この受信した広告番号が、メモリ２３に記憶された広告番号７と一致するか否かを判定する。この受信した広告番号が、メモリ２３に記憶された広告番号７に一致するとき、広告番号７に対応する広告Ｇを通信部２５によりサーバ７０から取得させる。
【００７９】
ここで、通信部２５が、広告Ｇをサーバ７０から取得すると、この広告Ｇを小電力無線部２２により送信させる（ステップ２９０）。これにより、小電力無線部２２がこの広告Ｇをアンテナ２１から送信させることになる。
【００８０】
次に、携帯電話４０では、制御部４７が、近距離無線機２０から送信された広告Ｇをアンテナ４１および小電力無線部４２を通して受信すると（ステップ１５０）、この受信された広告Ｇをこのメモリ４９に登録するとともに、この広告Ｇとして、テキスト情報、静止画像、動画などを表示部４５に表示させる（ステップ１６０）。これにより、端末ユーザにとって希望する広告を表示部４５に表示させることになる。
【００８１】
以上説明したように本実施形態によれば、近距離無線機５０〜５８では、それぞれメモリに記憶された広告番号に一致する広告番号を携帯電話４０から受信したときだけ、この広告番号に該当する広告を携帯電話４０に送信させることができる。従って、広告番号を携帯電話４０から送信させることにより、端末ユーザにとって必要な広告を近距離無線機５０〜５８から送信させることができる。
【００８２】
ここで、図５に示す近距離無線機５０、５３、５６は、それぞれ異なる広告Ｇ、Ｊ、Ｍを送信するものの、広告Ｇ、Ｊ、Ｍには、同一の同一広告番号が設定されている。これに伴い、近距離無線機５０、５３、５６により生成される無線エリア５０Ａ、５３Ａ、５６Ａは、それぞれオフセットして配置されている。従って、混信することなく、希望する広告を正確に近距離無線機５０、５３、５６から送信させることができる。
【００８３】
また、異なる広告Ｇ、Ｊ、Ｍに対して同一の同一広告番号を設定できるので、異なる広告Ｇ、Ｊ、Ｍに対して異なる広告番号を設定する場合に比べて、小さな広告番号を設定できる。従って、広告ポスタの数が多くても、広告番号として大きな数字を設定する必要がなく、広告番号を入力するための操作を簡素化することができる。
【００８４】
なお、本発明の実施にあたり、図８に示すように、第１実施形態と第２実施形態とを組み合わせて実施するようにしてもよい。
【００８５】
ここで、第１実施形態の近距離無線機２０、３０に対して広告を取得するには、認証番号および広告番号を必要とする。また、第２実施形態の近距離無線機５０〜５８に対して広告を取得するために広告番号を必要とする。そこで、第１実施形態において認証番号及び広告番号を組み合わせたコード（認証番号＋広告番号）と、第２実施形態の広告番号とが異なるように設定すれば、車両１、２がプラットホームに停車して近距離無線機２０、３０の無線エリア２０Ａ、３０Ａと近距離無線機５０〜５８の無線エリア５０Ａ〜５８Ａとが重なっている場合でも、混信することなく、希望する広告を正確に近距離無線機２０、３０、５０〜５８から取得できる。
【００８６】
なお、上記各実施形態では、広告掲示手段として広告ポスターを適用した例について説明したが、これに限らず、広告を掲示するものであるならば、広告の画像を表示する表示ディスプレイを用いてもよい。また、広告掲示手段の設置場所としては、電車の車室内、若しくは、鉄道駅のプラットホームに限らず、建物の外壁など、各種の場所に設置してもよい。さらに、広告としては、テキスト情報、静止画像、動画など表示によるものに限らず、音声出力による広告を用いてもよい。
【００８７】
また、上記各実施形態では、広告を無線端末（携帯電話４０）に無線送信するための無線機として、ブルートゥース技術を用いた近距離無線機を用いた例について説明したが、これに限らず、広告を携帯電話４０に無線送信するためのものであるならば、赤外線、超音波をなどを媒体とする各種の無線技術を用いた無線機を適用してもよい。
【００８８】
さらに、上記各実施形態では、無線通信できる無線端末として携帯電話４０を適用した例について説明したが、これに限らず、無線通信できる端末であるならば、ＰＨＳ、トランシーバ、ＰＤＡなどの各種の端末を用いてもよい。
【図面の簡単な説明】
【図１】本発明の広告システムの第１実施形態を示す図である。
【図２】図１に示す近距離無線機と携帯電話との構成を示す図である。
【図３】図１に示す近距離無線機と携帯電話との作動を示すフローチャートである。
【図４】図１に示す携帯電話との作動を示すフローチャートである。
【図５】本発明の広告システムの第２実施形態を示す図である。
【図６】図５に示す近距離無線機と携帯電話との構成を示す図である。
【図７】図５に示す携帯電話との作動を示すフローチャートである。
【図８】広告システムの変形例を示す図である。
【符号の説明】
２０…近距離無線機、２３…メモリ、４０…携帯電話、Ａ〜Ｃ…広告、
Ｘ…認証コード。
【図１】
0003997800.tif 000002
【図２】
0003997800.tif 000003
【図３】
0003997800.tif 000004
【図４】
0003997800.tif 000005
【図５】
0003997800.tif 000006
【図６】
0003997800.tif 000007
【図７】
0003997800.tif 000008
【図８】
0003997800.tif 000009